(57)【要約】【課題】  脱毛や薄毛の予防のために頭皮の緊張を緩和させる。【解決手段】  頭皮緊張緩和用具を人体の頭部に被るための帽体状とし、帽体側頭部Ｈ２内周に気体を充填及び排出可能な気嚢１０を配することにより帽体側頭部の内径を拡縮可能とする。【選択図】      図１
2004267798.tif 000002
【特許請求の範囲】
【請求項１】
人体の頭部に被るための帽体からなり、帽体側頭部内周に気体を充填及び排出可能な気嚢を配することにより帽体側頭部の内径の一部を拡縮可能に構成した頭皮緊張緩和用具において、気嚢を帽体側頭部の内周に沿って帯状に配したことを特徴とする頭皮緊張緩和用具。
【請求項２】
気嚢の空気注入口を帽体の外側に配した請求項１記載の頭皮緊張緩和用具。
【請求項３】
帽体を表布と裏地の二重構造とし、これらの間に気嚢を配した請求項１又２記載の頭皮緊張緩和用具。
【請求項４】
帽体の裏地を遠赤外線放射作用のある素材により構成すると共に、表地を断熱性に富んだ素材により構成した請求項３記載の頭皮緊張緩和用具。
【発明の詳細な説明】
【技術分野】
【０００１】
この発明は脱毛や薄毛の予防のために頭皮の緊張を緩和させるための用具に関する。
【背景技術】
【０００２】
頭髪の脱毛や薄毛の原因の一つとして頭皮の緊張（ツッパリ）が挙げられる。即ち、頭皮が緊張する結果、頭蓋骨と頭皮の隙間が減少し、血液の循環や酸素の補給等が悪くなり、その結果頭髪への栄養補給が不十分となり、脱毛や薄毛を招来することとなる。頭皮と頭蓋骨の間には無数の毛細管がめぐらされ、肉質やリンパ液も存在する。頭髪には毛根という根があり、この毛根に酸素や栄養が欠落すればどんどん頭髪は痩せ細りやがては抜けてしまうのである。土壌に生きる植物と同様で、土壌が活性化しなくなり、栄養や酸素を補給できなければ植物は育たない。人体も同様なのである。頭皮と頭蓋骨の間にある、つまり土壌が、だんだん狭まってきて指で頭皮を動かそうとしても動かなくなる状態になると抜け毛が激しくなり、やがては禿げ状態となる。禿げ状態の人の頭皮は、頭皮が緊張した（ツッパッタ）状態であり、指で動かそうとしてもあまり動きが良くない。
【０００３】
上記の現象を防止するためには、頭皮の緊張を緩和すればよく、そのために側頭部を締めつける鉢巻き状の緊張緩和用具が公知であった。この用具においては頭頂部に比し頭蓋骨と頭皮の隙間がある側頭部を締めつけることにより、頭皮を上に持ち上げて頭頂部の頭皮の緊張を緩和する作用を有した。
【発明の開示】
【発明が解決しようとする課題】
【０００４】
しかしながら上記の従来技術においては、第一に用具が鉢巻き状（ベルト）なので、側頭部の所要位置に正確に装着する作業が難しく、使い勝手が悪いという問題点があった。
【０００５】
第二に、側頭部を締めつけることにより、頭頂部の頭皮の緊張は緩和されるが、今度は締めつけにより側頭部の血行が阻害されるという問題があった。
【０００６】
第三に、締めつけを解除すると側頭部から脱落するおそれがあり、常に軽い締めつけ力をもって側頭部に装着せざるを得ず、締めつけと締めつけ解除を繰り返すことによるマッサージ作用を得ることができなかった。
【課題を解決するための手段】
【０００７】
この発明は以上の従来技術の問題点に鑑みて創作されたものであり、頭皮緊張緩和用具を、人体の頭部に被るための帽体からなり、帽体側頭部内周に気体を充填及び排出可能な気嚢を配することにより帽体側頭部の内径の一部を拡縮可能に構成したことを特徴とする。
【発明の効果】
【０００８】
この発明は次の特有の効果を奏する。
(1) 頭皮緊張緩和用具を頭部に被る帽体状としているので、装着が容易であり、側頭部を締めつけるための気嚢が常に側頭部の所要位置に正確に位置する。
(2) 実施例のように、帽体側頭部に開閉可能な切り欠き部を設け、この切り欠き部の開閉度合いにより帽体の大きさを調節可能とした場合には、使用者の種々の頭部の大きさに適合可能となり、上記(1) の装着の容易性がより高まる。
(3) 従来技術の鉢巻き状の頭皮緊張緩和用具においては、締めつけを解除すると側頭部から脱落するおそれがあり、常に軽い締めつけ力をもって側頭部に装着せざるを得なかったが、この発明の場合は用具の本体は頭部に被る帽体状としているので、締めつけ力を完全に解除しても脱落することがない。よって、締めつけ状態と締めつけ解除状態を交互に繰り返すことが可能となり、効果的な頭皮のマッサージ作用を実現することができ、凝り固まった筋肉を揉みほぐすことにより血液循環や酸素補給、栄養補給を行うことができる。
(4) 頭皮緊張緩和用具を頭部に被る帽体状としているので、頭皮との間に密閉空間が形成され、内部温度の高まりにより頭皮の血行が促進されることとなり、特に実施例のように帽体の裏地を遠赤外線放射作用のある素材により構成すると共に、表地を断熱性に富んだ素材により構成した場合はこの作用は顕著である。この作用は、頭皮の緊張緩和効果と相乗して脱毛や薄毛の防止効果を促進する他、従来技術の問題点として指摘した側頭部を締めつけることにより、頭頂部の頭皮の緊張は緩和されるが、今度は締めつけにより側頭部の血行が阻害されるという現象を緩和する補償効果も実現する。
【発明を実施するための最良の形態】
【０００９】
図１及び図２はこの発明の頭皮緊張緩和用具の具体的実施例を示す図である。この発明の最大の特徴は頭皮緊張緩和用具を人体の頭部に被るための帽体状としたことである。ここでは、帽体として平坦な頭頂部Ｈ１と円筒状の側頭部Ｈ２を有する形状のものを例示するが、具体的な形状はこれに限られないことはいうまでもない。
【００１０】
尚、ここでは使用者の種々の頭部の大きさに適合可能とするために、帽体の側頭部Ｈ２の後部に切り欠き部Ｈ３を設け、この切り欠き部の開閉度合いにより帽体の大きさを調節可能としている。この実施例においては切り欠き部の開閉度合いを調節する手段として締め紐３及び紐のストッパー４を採用している。
【００１１】
一方、図３及び４は開閉度合いを調節する手段の異なる実施例を示すものであり、ここでは切り欠き部Ｈ３の一端に設けたフラップ２３の他端のベルベットファスナー片２４Ｂを切り欠きの他端に設けたベルベットファスナー片２４Ａに係止する構成としている。この実施例の場合、フラップ２３により切り欠き部Ｈ３が覆われるので、後記する帽体による密閉作用が切り欠き部により損なわれることが防止される。            
【００１２】
図中符号１０は上記の帽体側頭部Ｈ２の内周に配される気嚢である。この気嚢１０は帽体側頭部の内径の一部を拡縮可能にするものであり、ここでは帯状のものを帽体側頭部の内周に沿って帯状に配している。この場合、この実施例においては帽体を表布１と裏地２の二重構造とし、これらの間に気嚢１０を配している（図２参照）。気嚢１０は気体を充填及び排出可能とすることにより随時拡大及び縮小自在とすることが要件であり、ここではそのための空気注入口１１を帽体の外側に配している。
【００１３】
この実施例においては、帽体の裏地２として遠赤外線放射作用のある素材を使用している。この場合、遠赤外線放射作用のある素材としてはセラミックスを練り込んだり、織り込んだ公知の布地が挙げられる。又、ここでは帽体の表地１として、断熱性に富んだ素材を使用している。この場合、断熱性に富んだ素材としては軟質プラスチックシート等が挙げられる。
【００１４】
以上の構成よりなる頭皮緊張緩和用具は、図１に示すように使用者が頭部Ｆに被ることにより使用に供される。そして、外側に設けられた空気注入口１１から手動ポンプや動力ポンプにより空気を充填して、気嚢を内外に膨らませて側頭部を締めつけることにより頭皮の緊張を緩和する。この場合、動力ポンプにより空気の充填・排出を連続して行うことにより恰も指で頭皮をマッサージするのと同様の作用を得ることができる。
【図面の簡単な説明】
【００１５】
【図１】この発明の頭皮緊張緩和用具の使用状態を背面から観察した斜視図。
【図２】この発明の頭皮緊張緩和用具を背面から観察した一部切り欠き斜視図。
【図３】この発明の頭皮緊張緩和用具の異なる実施例を背面から観察した斜視図。
【図４】この発明の頭皮緊張緩和用具の異なる実施例を背面から観察した斜視図。
【符号の説明】
【００１６】
Ｈ１    帽体頭頂部
Ｈ２    帽体側頭部
１      表地
２      裏地
１０    気嚢
１１    空気注入口
【図１】
2004267798.tif 000003
【図２】
2004267798.tif 000004
【図３】
2004267798.tif 000005
【図４】
2004267798.tif 000006